(57)【要約】【課題】情報センタから車載端末の入力装置に適した案内画面を送る。【解決手段】車載端末１０は、車載端末で使用される入力装置の操作種別を識別可能な識別情報を情報センタ１２に送信する。例えば、識別情報は入力装置の操作種別識別情報であって、画面タッチパネル又はリモコンという種別情報である。情報センタ１２の案内画面メモリ３８は、入力装置の操作種別毎に案内画面を記憶しており、処理装置３０は、案内画面メモリ３８から操作種別識別情報に基づいて案内画面を呼び出し、車載端末１０に送信する。これにより、車載端末１０での操作性を向上させることができる。【選択図】        図２
2004326620.tif 000002
【特許請求の範囲】
【請求項１】
情報センタと車載端末間で通信を行い、情報センタが車載端末に情報を提供する車両用情報提供システムであって、
前記車載端末は、
情報提供を受けるための案内画面を表示する表示手段と、
表示された案内画面に従って指示入力を行う入力手段と、
前記入力手段の操作種別を識別可能な識別情報を情報センタに送信する送信手段と、を有し、
前記情報センタは、
前記識別情報を受信する受信手段と、
受信した識別情報に基づいて、案内画面を送信する送信手段と、
を有することを特徴とする車両用情報提供システム。
【請求項２】
請求項１に記載の車両用情報提供システムであって、
前記識別情報は、車載端末で使用される入力手段の操作種別である操作種別識別情報を含むことを特徴とする車両用情報提供システム。
【請求項３】
請求項１又は２に記載の車両用情報提供システムであって、
前記車載端末は、複数の入力手段を有し、
前記識別情報は、複数の入力手段のうち、ユーザに選択された入力手段の識別情報であることを特徴とする車両用情報提供システム。
【請求項４】
情報センタと通信を行い、情報センタから情報が提供される車載端末であって、
情報提供を受けるための案内画面を表示する表示手段と、
案内画面に従って指示入力を行う入力手段と、
前記入力手段の操作種別を識別可能な識別情報を情報センタに送信する送信手段と、
情報センタから前記識別情報に基づいた案内画面を受信する受信手段と、
を有することを特徴とする車載端末。
【請求項５】
請求項４に記載の車載端末であって、
前記識別情報は、車載端末で使用される入力手段の操作種別である操作種別識別情報を含むことを特徴とする車載端末。
【請求項６】
請求項４又は５に記載の車載端末であって、
複数の入力手段を有し、前記識別情報は、複数の入力手段のうち、ユーザに選択された入力手段の識別情報であることを特徴とする車載端末。
【請求項７】
車載端末と通信を行い、車載端末に情報を提供する情報センタであって、
車載端末の表示手段に表示された案内画面に従って指示入力を行う入力手段の操作種別毎に適した、複数の案内画面を記憶する手段と、
車載端末の入力手段の操作種別を識別可能な識別情報を受信する受信手段と、
受信した識別情報に基づいて、案内画面を送信する送信手段と、
を有することを特徴とする情報センタ。
【請求項８】
請求項７に記載の情報センタであって、
前記識別情報は、車載端末で使用される入力手段の操作種別である操作種別識別情報を含むことを特徴とする情報センタ。
【請求項９】
請求項７の記載の情報センタであって、
更に、
前記識別情報と車載端末で使用される入力手段を関連づけて記憶する手段と、
前記車載端末から送信された識別情報に基づいて車載端末で使用される入力手段を特定する特定手段と、
を有し、
前記特定手段で特定された入力手段に基づいて、案内画面を送信することを特徴とする車両用情報提供システム。
【発明の詳細な説明】
【０００１】
【発明の属する技術分野】
本発明は、車両用情報提供システム及び車載端末、情報センタ、特に車載端末の情報提供を受けるための案内画面に関する。
【０００２】
【従来の技術】
従来より、車両に設けられた車載端末が情報センタとの通信により、情報センタから情報を得る車両用情報提供システムが普及している。車載端末では、交通情報やニュース等様々な情報を得ることができる。
【０００３】
このようなシステムにおいて、車載端末は、情報を受けるために、まず、情報センタにアクセスし、情報センタから情報提供を受けるためのメニュー画面等の案内画面を受信する。車載端末は、表示装置に案内画面を表示させ、ユーザは案内画面に従って、例えば、交通情報かニュースにするかの指示入力を行い、これにより所望の情報を得る。この指示入力には、いわゆるリモコンや画面タッチパネル、その他にファンクションスイッチ（画面の外側にスイッチが並んだもの）等が用いられている。
【０００４】
リモコンでの指示入力は、車載端末とは別体のリモコン送信機のスイッチを操作することにより行われる。リモコン送信機のスイッチを操作することにより、案内画面のアイコン又はカーソル操作が可能となっており、リモコン操作者は、案内画面に表示されたスイッチやカーソルを見ながら、手元のリモコン送信機のスイッチを操作して指示入力を行う。
【０００５】
これに対して、画面タッチパネルでは、表示装置の前面に操作者のタッチ入力を感知する画面タッチパネルが取り付けられ、案内画面に、操作可能なアイコンを表示する。画面タッチパネルの操作者は、このアイコンに触れることにより指示入力をすることができる。なお、車載端末に使用される表示装置は比較的広い表示領域を有しているので、画面タッチパネルでは、一画面に多くのアイコンを設定できる。
【０００６】
これらの指示入力手段は、車載端末の機種によりリモコンで構成されたり、画面タッチパネルで構成されたり、その他ファンクションスイッチやジョグスティックスイッチ等で構成されている。また、これら統合された指示入力が可能な車載端末もあり、この車載端末ではユーザの好みに応じて入力手段を適宜選ぶことができる。
【０００７】
【発明が解決しようとする課題】
しかしながら、現在、案内画面は、車載端末側で使用される指示入力手段の種類に係わらず、同じ案内画面が提供されている。
【０００８】
ここで、操作性の良い案内画面を作成するには、それぞれの入力手段の種類にとって操作性の良い画面を作る必要がある。例えば、リモコン入力に対してはリモコンの操作スイッチに対応するようなアイコンのレイアウトが理想である。一方、画面タッチパネル入力では、広い表示領域を利用して分かりやすいアイコンの設定を比較的自由に行うことができる。
【０００９】
例えば、リモコンを基準にして案内画面を作成すると、リモコンの操作スイッチが少ない場合、１つの案内画面で総ての選択可能なメニューをアイコンで表示する案内画面を作ることができない。従って、画面タッチパネルであれば、一画面中にメニュー表示が可能であってもこのような利点を生かすことができず、画面タッチパネルの案内画面としては、操作性があまり良くない案内画面になってしまうという問題がある。
【００１０】
また、それぞれの入力手段のどちらでも操作可能な案内画面を作成しようとすると、どちらの操作性も最適化できなくなるという問題がある。操作性が異なる複数の指示入力手段の操作性を最適にする様な案内画面を作成するのは非常に困難である。
【００１１】
にもかかわらず、車両用情報提供システムにおいては、ユーザが運転中にも案内画面を見ながら操作するので、操作性の良い案内画面が望まれている。
【００１２】
そこで、本発明は上記課題に鑑みなされたものであり、車載端末で使用される入力手段の種別に基づいて情報提供を受けるための案内画面を提供することができる車両用情報提供システム及び車載端末、情報センタに関する。
【００１３】
【課題を解決するための手段】
本発明の車両用情報提供システムは、情報センタと車載端末間で通信を行い、情報センタが車載端末に情報を提供する車両用情報提供システムであって、車載端末は、情報提供を受けるための案内画面を表示する表示手段と、表示された案内画面に従って指示入力を行う入力手段と、入力手段の操作種別を識別可能な識別情報を情報センタに送信する送信手段と、を有し、情報センタは、識別情報を受信する受信手段と、受信した識別情報に基づいて、案内画面を送信する送信手段と、を有することを特徴とする。
【００１４】
また、本発明の車両用情報提供システムにおいて、識別情報は、車載端末で使用される入力手段の操作種別である操作種別識別情報を含むことを特徴とする。
【００１５】
更に、本発明の車両用情報提供システムにおいて、車載端末は、複数の入力手段を有し、識別情報は、複数の入力手段のうち、ユーザに選択された入力手段の識別情報であることを特徴とする。
【００１６】
本発明の車載端末は、情報センタと通信を行い、情報センタから情報が提供される車載端末であって、情報提供を受けるための案内画面を表示する表示手段と、案内画面に従って指示入力を行う入力手段と、入力手段の操作種別を識別可能な識別情報を情報センタに送信する送信手段と、情報センタから識別情報に基づいた案内画面を受信する受信手段と、を有することを特徴とする。
【００１７】
また、本発明の車載端末において、識別情報は、車載端末で使用される入力手段の操作種別である操作種別識別情報を含むことを特徴とする。
【００１８】
更に、本発明の車載端末において、車載端末は、複数の入力手段を有し、識別情報は、複数の入力手段のうち、ユーザに選択された入力手段の識別情報であることを特徴とする。
【００１９】
本発明の情報センタは、車載端末と通信を行い、車載端末に情報を提供する情報センタであって、車載端末の表示手段に表示された案内画面に従って指示入力を行う入力手段の操作種別毎に適した、複数の案内画面を記憶する手段と、車載端末の入力手段の操作種別を識別可能な識別情報を受信する受信手段と、受信した識別情報に基づいて、案内画面を送信する送信手段と、を有することを特徴とする。
【００２０】
また、本発明の情報センタにおいて、識別情報は、車載端末で使用される入力手段の操作種別である操作種別識別情報を含むことを特徴とする。
【００２１】
また、本発明の情報センタは、更に、識別情報と車載端末で使用される入力手段を関連づけて記憶する手段と、車載端末から送信された識別情報に基づいて車載端末で使用される入力手段を特定する特定手段と、を有し、特定手段で特定された入力手段に基づいて、案内画面を送信することを特徴とする。
【００２２】
【発明の実施の形態】
以下、本発明の好適な実施の形態（以下、実施形態という）について、図面を参照し説明する。この場合において、同一又は相当部材には同一の符号を付してその説明を省略する。
【００２３】
図１は、本実施形態の概念構成図を示す図である。本実施形態の車両用情報提供システム１は、車両に搭載される端末である車載端末１０と、車載端末１０に情報を提供する情報センタ１２と、から構成されている。複数の車載端末１０と情報センタ１２が電話回線やデータ回線等の通信ネットワークで接続されている。
【００２４】
情報センタ１２は、車載端末１０のリクエストに応じて、各種情報を通信ネットワークを介して車載端末１０に供給する。ここで、情報センタ１２は、車載端末１０に、情報提供を受けるために、各種情報の取得をコントロールするための案内画面も送信している。車載端末１０は、この案内画面に従って車載端末１０へ指示入力を行い、情報センタ１２から情報を受ける。
【００２５】
本実施形態において特徴的なことは、車載端末１０は、指示入力のための入力手段の操作種別識別情報を送信し、情報センタ１２は、車載端末１０で操作種別識別情報に基づいて案内画面を送信する。これら指示入力のための入力手段は、車載端末毎に異なっている。すなわち、ある車載端末では、リモコン入力が行われ、これに対し別の車載端末では画面タッチパネルで入力が行われている。これにより、複数の車載端末１０は、それぞれの車載端末１０で使用される入力手段に応じた案内画面が供給されることになり、指示入力の操作性を向上させることができる。
【００２６】
次に、本実施形態の構成について詳細に説明する。図２は、本実施形態の車両用情報提供システム１の詳細な構成ブロック図である。
【００２７】
車載端末１０は、通常ＣＰＵ、ＲＯＭ、ＲＡＭ等で構成され、全体を制御する制御装置１４を有している。この制御装置１４には、表示装置１６、音声出力装置１８、入力装置２０、無線通信装置２２が接続されている。
【００２８】
表示装置１６は、情報提供を受けるための案内画面を表示したり、情報センタ１２からの情報を表示する。例えば、表示装置１６は、カラーＬＣＤ（液晶ディスプレイ）で構成されている。また、出力手段として音声出力装置１８が制御装置１４に接続されており、情報センタ１２からの音声情報を出力する。
【００２９】
入力装置２０は、ユーザによって操作され、ユーザの指示やデータが入力される。入力装置２０は、画面タッチパネルで構成したり、あるいはリモコンで構成することができる。入力装置２０への入力は、後述するような表示装置１６の案内画面に従って指示入力が行われる。
【００３０】
図３は、入力装置２０の具体例を示す図である。図３（Ａ）は、画面タッチパネル２４の構成を示し、図３（Ｂ）は、リモコン２６の構成を示している。
【００３１】
図３（Ａ）に示す様に、画面タッチパネル２４は、操作者のタッチ入力を感知し、その操作信号を制御装置１４に供給する。この画面タッチパネル２４は、上述した表示装置１６に重ねて取り付けられており、表示装置１６は、操作可能な機能を、例えばアイコン表示すると共に、その機能を選択するために操作者が触れるべき領域をスイッチ領域として表示する。操作者は、この各種スイッチ領域に対応する画面タッチパネル２４に触れることにより、各種の入力を行うことができる。
【００３２】
図３（Ｂ）のリモコン２６は、ユーザに操作されるリモコン送信機２６ａと、車載端末１０側に設けられたリモコン受信機２６ｂと、を含んでいる。ここで、表示装置１６は、リモコン送信機２６ａのスイッチで操作可能な機能を、例えばアイコンやカーソルで表示する。リモコン操作者は、表示装置１６に表示されたアイコンやカーソルを見ながらリモコン送信機２６ａのスイッチで指示入力を行う。リモコン送信機２６ａは、リモコン操作者の指示入力に基づいて操作信号を送信し、リモコン受信機２６ｂは、リモコン送信機２６ａから送信された操作信号を受信し、その操作信号を制御装置１４に供給する。これにより、表示装置に表示された機能の指示入力が可能となる。
【００３３】
上述したように、情報センタ１２には、複数の車載端末１０が接続されており、車載端末１０の各入力装置２０は、画面タッチパネル２４で構成されたり、リモコン２６で構成されたり、またはその両者が使用できたり様々に構成されている。
【００３４】
制御装置１４には、通信装置として無線通信装置２２が接続されており、各種の移動体通信の端末が利用でき、例えば携帯電話機を利用できる。無線通信装置２２は、制御装置１４によって制御され、情報センタ１２との情報の送受信が制御される。本実施形態においては、無線通信装置２２は、入力装置２０の操作種別である操作種別識別情報を送信し、情報センタ１２から識別情報に基づいた案内画面を受信する。
【００３５】
車載端末１０の無線通信装置２２からの無線通信は、基地局２８を介して、情報センタ１２へ接続される。基地局２８は、多数設けられており、車載端末１０は、最寄りの基地局２８を介し、電話回線網が利用されて、情報センタ１２と接続される。これは、現在広く利用されている携帯電話の移動体通信網をそのまま利用すれば良く、また、独自の通信回線を設けても良いし、衛星通信などを利用しても良い。
【００３６】
次に、情報センタ１２の構成について説明する。
【００３７】
情報センタ１２は、通常ＣＰＵ、ＲＯＭ、ＲＡＭ等で構成され、全体を制御する処理装置３０を有している。処理装置３０には、通信装置３２、データベース３４、ユーザプロファイル３６、案内画面メモリ３８が接続されている。
【００３８】
通信装置３２は、車載端末１０だけでなく、例えば、外部のコンテンツプロバイダ等と接続され、各種の情報を収集する。通信装置３２を介して、外部の店舗やコンテンツプロバイダから情報が供給され、処理装置３０は、各種情報をデータベース３４に記憶させる。データベース３４は、コンテンツプロバイダから供給される情報も含め、インフォメーション、エンターティメント、地図データ等の情報を記憶する。処理装置３０は、車載端末１０のリクエストに応じて適切な情報をデータベース３４から読み出し、通信装置３２を介し車載端末１０に送出する。
【００３９】
情報センタ１２は、ユーザプロファイル３６を有しており、ユーザプロファイル３６は、車両情報、ユーザ情報（例えば、ユーザの氏名、年齢、性別、住所、登録ＩＤ番号）を記憶する。ユーザ情報は、接続要求した車載端末１０の認証に利用すると良い。また、ユーザプロファイル３６に、車載端末１０で使用される入力装置２０の操作種別種別情報を記憶しても好適である。これにより、車載端末１０から送信された登録ＩＤ番号から車載端末で使用される入力装置２０を特定し、それに応じた案内画面を送信することができる。
【００４０】
案内画面メモリ３８には、入力装置の操作種別毎に適した案内画面が記憶されている。ここで、入力装置の操作種別毎とは、操作性が異なる入力装置毎にという意味であり、例えば上述した画面タッチパネル２４、リモコン２６といった異なる装置種別を含む。また、リモコンのスイッチの構成の相違（数字キーや方向キー等の有無）や新旧の機種の相違による操作が異なるものも含まれる。また、案内画面とは、情報提供を受けるためのメニュー選択画面や選択により上層、下層にスクロールする階層構造のメニュー選択画面や機能案内画面等が含まれる。例えば、機能案内画面等は、アイコンで表示される。このような案内画面は、情報センタ１２や情報センタ１２に接続された専用端末で作成され、案内画面メモリ３８に記憶される。
【００４１】
図４、図５は、本実施形態の案内画面を示す図であり、図４は、画面タッチパネル用の画面タッチパネル用案内画面４０を示し、図５は、リモコン用のリモコン用案内画面６０を示している。
【００４２】
図４に示すように、画面タッチパネル用案内画面４０では、画面中央にメニュー４２が表示されている。メニュー４２として、１．番組情報、２．ニュース＆トレンド、３．気象、４．交通、５．エンターティメント、６．ワイワイｃｈが表示されている。メニュー４２の右側には、数字キー４４、メニュー４２の左側には、上下キー４６がアイコンとして表示されている。表示装置１６には、図３（Ａ）に示すような画面タッチパネル２４が取り付けられており、操作者は、１〜１０の数字アイコン４４に対応する画面タッチパネル２４の領域に触れることにより、メニュー４２を選択、実行することができ（下層のメニュー画面にスクロール若しくはそのメニュー内容の情報の要求）、また、上下アイコン４６に対応する画面タッチパネル２４の領域のいずれかを触れることによって現在表示されていないメニューを表示させたり、上層のメニュー画面に戻ることができる。
【００４３】
図５の右側には、リモコン送信機２６ａの外観が示されており、リモコン送信機２６ａには、選択／決定キー５０、メニュー／戻るスイッチ５２が配設されている。選択／決定キー５０は、円形状ボタン上に十字状に、「＜」、「＞」、「∧」、「∨」が、中央に「決定」の識別記号表示がされている。選択／決定キー５０の「＜」、「＞」、「∧」、「∨」はメニューの選択キーとしての機能を有し、「決定」はメニューの決定キーとしての機能を有している。メニュー／戻るスイッチ５２は、メニュー画面を表示したり、前の画面に戻すスイッチである。図５の左側には、このようなリモコン送信機２６ａに適したリモコン用案内画面６０が示されている。図５に示すように、画面上部にメニュー５４が表示されている。メニュー５４として、１．番組、２．ニュース＆オリンピック、３．気象、４．交通、５．エンター＆スキーと、６．ワイワイｃｈが表示されている。メニュー５４の下には、リモコン操作案内アイコン５６が表示され、十字状の選択／決定キー５０の操作に適したアイコンが表示されている。すなわち、中央に矢印の十字アイコンが表示され、選択／決定キー５０の「＜」、「＞」、「∧」、「∨」で選択可能なメニューがそれぞれ矢印の先に表示されている。これにより、操作者は、選択／決定キー５０の「＜」、「＞」、「∧」、「∨」のいずれかを操作し、メニューを選択し、その後、決定キーを操作することによりメニューを実行することができる。なお、本実施形態のリモコン用案内画面６０では、６種類のメニューを選択可能である。しかし、リモコン送信機２６ａには「＜」、「＞」、「∧」、「∨」の選択キーが４つしかないので、これに対応してリモコン操作案内アイコン５６には、十字の４つの矢印アイコンを表示させ、選択キー５０の「＞」で５のメニューを選択させることとし、選択キー５０の「∧」、「∨」キーで４、６のメニューを選択できるようにしている。また、案内画面６０の右上に「メニュー」表示５８が表示されており、この表示５８は、リモコン送信機２６ａのメニュー／戻るスイッチ５２を操作することによって、ダイレクトに案内画面を表示したり、前の画面に戻れる機能案内を表示している。
【００４４】
なお、この案内画面は、車載端末１０から送信された操作種別識別情報が情報センタ１２の通信装置３２で受信され、処理装置３０が、操作種別識別情報に基づいて案内画面メモリ３８から案内画面、例えば画面タッチパネル用案内画面４０又はリモコン用案内画面６０を呼び出し、通信装置３２が、車載端末１０に送信する。
【００４５】
このように、画面タッチパネル用案内画面４０とリモコン用案内画面６０は、メニューの操作案内の配置などが異なっており、これにより、操作者は自車の入力装置に適した案内画面に従って指示入力を行うことができる。
【００４６】
また、このシステムによれば、車両用情報提供システム１の稼働後、新しい操作性の入力装置、すなわち操作種別が異なる入力装置を有する車載端末が搭載されても、情報センタ１２は、従来から送信している案内画面を変更することなく、新しい車載端末に対しては新しい案内画面を作成し送信するだけでよい。これにより、従来からのユーザは、案内画面の変更が無く慣れた操作を継続して行うことができる。車載端末等はライフサイクルが長期に亘るため、このような利点を有することはシステム全体にとって好適である。
【００４７】
図６は、本実施形態の車両用情報提供システム１のフローチャートを示す図である。
【００４８】
まず、車載端末１０の表示装置１６は、初期画面を表示する（Ｓ１０）。この初期画面を見ながら、ユーザは情報センタ１２へのアクセス指示を入力し、制御装置１４は、無線通信装置２２を利用して、情報センタ１２にアクセスする（Ｓ１２）。このとき、車載端末１０は、車両情報、ユーザ情報、入力装置の操作種別識別情報を送信する。
【００４９】
これら情報は、基地局２８を介して、情報センタ１２の通信装置３２が受信する（Ｓ２２）。情報センタ１２の処理装置３０は、車載端末１０からの操作種別識別情報により、アクセスしてきた車載端末１０の入力装置が、画面タッチパネルかリモコンか特定する（Ｓ２４）。画面タッチパネルであれば、処理装置３０は、案内画面メモリ３８から画面タッチパネル用案内画面４０を呼び出す（Ｓ２６）。リモコンであれば、案内画面メモリ３８からリモコン用案内画面６０を呼び出す（Ｓ２８）。通信装置３２は、画面タッチパネル用案内画面４０又はリモコン用案内画面６０を送信する（Ｓ３０）。
【００５０】
車載端末１０の無線通信装置２２は、案内画面４０又は案内画面６０を受信する（Ｓ１４）。制御装置１４は、受信した案内画面４０又は案内画面６０を表示装置１６に表示させる（Ｓ１６）。これにより、ユーザは車載端末１０の入力装置に適した案内画面に従って、指示入力をすることができ、操作性を向上させることができる。ユーザは、案内画面に従って指示入力を行い、適宜情報センタ１２へ情報取得のリクエストを行い所望の情報提供がされる（Ｓ１８）。
【００５１】
変形例
上述した実施形態では、入力手段として、リモコン、画面タッチパネルを用いて説明したが、ファンクションスイッチやジョグスティック、又は音声入力、視線入力などの入力手段についても本発明を適用することができる。例えば、音声入力用の案内画面であれば、「交通情報をお聞きになりたい場合は、１と言って下さい。」との案内表示をすると良い。
【００５２】
また、車載端末１０の入力装置２０は、複数の入力装置、例えば画面タッチパネル２４とリモコン２６の両方が使用可能でも良い。この場合には、車載端末１０から送信する入力装置２０の識別情報を予めユーザに選択させておき、情報センタ１２は、この選択された入力装置の識別情報に基づいて案内画面を送信することができる。
【００５３】
更に、上述した実施形態では、車載端末１０では入力装置の操作種別識別情報を送信しているが、入力装置の操作種別を識別可能な情報であれば、何でも良い。例えば、入力装置の操作種別を識別可能な識別情報には、車両情報等も含まれる。上述した実施形態では、情報センタ１２のユーザプロファイル３６は、車両情報と共に操作種別識別情報を記憶している。従って、車載端末１０から車両情報を送信し、情報センタ１２（処理装置３０）側で、この車両情報に基づいてユーザプロファイル３６に記憶された操作種別識別情報を検索し、車載端末１０の入力装置の操作種別を特定すれば好適である。
【００５４】
【発明の効果】
以上説明したように、本発明によれば車載端末で使用される入力手段の種別に基づいて情報提供を受けるための案内画面を提供することとしたので、車載端末での操作性を向上させることができる。
【図面の簡単な説明】
【図１】実施形態の概念構成図を示す図である。
【図２】実施形態の車両用情報提供システムの詳細な構成ブロック図である。
【図３】入力装置の具体例を示す図である。
【図４】画面タッチパネル用の画面タッチパネル用案内画面を示す図である。
【図５】リモコン用のリモコン用案内画面を示す図である。
【図６】実施形態の車両用情報提供システムのフローチャートを示す図である。
【符号の説明】
１  車両用情報提供システム、１０  車載端末、１２  情報センタ、１４  制御装置、１６  表示装置、１８  音声出力装置、２０  入力装置、２２  無線通信装置、２４  画面タッチパネル、２６  リモコン、２６ａ  リモコン送信機、２６ｂ  リモコン受信機、２８  基地局、３０  処理装置、３２  通信装置、３４  データベース、３６  ユーザプロファイル、３８  案内画面メモリ、４０  画面タッチパネル用案内画面、６０  リモコン用案内画面。
【図１】
2004326620.tif 000003
【図２】
2004326620.tif 000004
【図３】
2004326620.tif 000005
【図４】
2004326620.tif 000006
【図５】
2004326620.tif 000007
【図６】
2004326620.tif 000008